(57)【要約】      （修正有）【課題】簡単な構成で、後部からの自動車のライトをしっかりドライバーに返し、ドライバーが自転車の存在を確実に知覚することができる、十分な面積を有するリフレクターを提供する。【解決手段】泥除けが設置されている自転車を対象とする。すなわち、リフレクター１，２は、前輪及び後輪の泥除け５，６の表面に着設される。各泥除けの後端部５１，６１を起点として前端部に向けて泥除けの全幅に着設され、長さは前記泥除け全体の弧長の少なくとも３分の１以上であることを特徴とする。素材としては、可塑性樹脂材又はウレタン材に反射布を貼付したものか、あるいは、前記材料に反射物をコーティングしたものを使用する。一例として、可塑性のプラスチックに市販の反射トランスファーフィルムを接着させたものがあげられる。【選択図】図１
0003188281.tif 000002
【実用新案登録請求の範囲】
【請求項１】
自転車の事故防止用リフレクターであって、前輪及び後輪の泥除けの表面に着設されることを特徴とするリフレクター。
【請求項２】
前記リフレクターは、前記前輪及び後輪の泥除け各後端部を起点として前端部に向けて泥除け表面の全幅に着設され、長さは前記泥除け全体の弧長の少なくとも３分の１以上であることを特徴とする請求項１記載のリフレクター。
【請求項３】
前記リフレクターは、可塑性樹脂材又はウレタン材に反射布を貼付したものであることを特徴とする請求項１又は請求項２記載のリフレクター。
【請求項４】
前記リフレクターは、可塑性樹脂材又はウレタン材に反射物質をコーティングしたものであることを特徴とする請求項１又は請求項２記載のリフレクター。
【考案の詳細な説明】
【技術分野】
【０００１】
本考案は、事故防止のため自転車に装着するリフレクターに関する。
【背景技術】
【０００２】
自転者は道路交通法で車両後部に反射板または尾灯を付けることを義務付けられている（道路交通法第６３条の９第２項）。このため、泥除けが付いている自転車は泥除けの最後尾に、泥除けがない自転車はシートステーに、赤色の反射板が設置されている。
【０００３】
また、これとは別に、電池を内蔵した赤色ＬＥＤ等のテールライトが自転車専用の部品として市販されている。
【０００４】
さらに、腕等に付ける反射リストバンドが、安全意識の高いサイクリストのために市販されている。
【先行技術文献】
【特許文献】
【０００５】
【特許文献１】実用新案登録第号３１６２４２７
【特許文献２】実用新案登録第３１１９８４５号
【考案の概要】
【考案が解決しようとする課題】
【０００６】
自転車の反射板等の装着は法令により義務付けられてはいるが、販売時に装着されている反射板や尾灯は小さくて、安全上不十分である。
【０００７】
また、電池を内蔵した赤色ＬＥＤ等のテールライトは費用がかかるうえ、球切れが起きたり、電池が切れたりしたときは、交換するまで使用できないという問題がある。
【０００８】
これらの問題を解決すべく、前記特許文献１には、車輪のスポーク部分に取り付け、不規則に光を反射する反射材についての考案が開示されている。しかし、スポークに取り付ける反射板は進行方向と平行に装着されるため、自転車の側面に位置する自動車に対してはある程度有効ではあるが、後部に位置する車に対しては効果が十分ではない。
【０００９】
前記特許文献２には、四方に光を反射する反射板を車輪のリムに貼り付ける考案が開示されている。しかし、リムに取り付ける反射板は後輪に泥除けを有する自転車では、泥除けに隠されて後部からライトを照射する自動車から確認できないことがある。また、四方に光を反射する性質を有する反射板は、後部から照射された光を側面等に拡散してしまうため、照射元であるドライバーに返ってくる光量が少なくなる。
【００１０】
さらに、もともと自転車に装着されている反射板や前記特許文献に開示の反射板は、市販のものも含め、反射面の絶対的面積が小さいため、自転車の存在をドライバーに知らしめる点で不十分である。                                    
【００１１】
以上の問題点に鑑み、本考案は簡単な構成で、後部からの自動車のライトを反射によって確実にドライバーに返し、ドライバーが自転車の存在を確実に知覚することができる、十分な面積を有するリフレクターを提供することを課題とする。
【課題を解決するための手段】
【００１２】
本考案は、泥除けが設置されている自転車を対象とする。
上述の課題を解決するため本考案に係る事故防止用リフレクターは、前輪及び後輪の泥除けの表面の広範囲に着設されることを特徴とする。具体的には、各泥除けの後端部を起点として前端部に向けて泥除けの全幅に着設され、長さは前記泥除け全体の弧長の少なくとも３分の１以上となる。
【００１３】
素材としては、可塑性樹脂材又はウレタン材に反射布を貼付したものか、あるいは、前記材料に反射物をコーティングしたものを使用する。
【考案の効果】
【００１４】
従来の反射鏡や腕等に付ける反射リストバンドに比べて面積が大きいため、夜間、後部から迫る自動車等のドライバーによって十分に自転車の存在が認識され、従来の反射板に比べ、安全性が高まる。
【００１５】
設置のための費用が小さいうえ、割れ物を使用しないため、打撃等に強く耐久性がある。
【図面の簡単な説明】
【００１６】
【図１】本リフレクターを取り付ける位置を示す自転車の側面図である。
【図２】本リフレクターの概念図である。（Ａ）は取り付け前、（Ｂ）は取り付ける際の状態を示す。
【考案を実施するための形態】
【００１７】
以下、本考案の実施形態の１例を図面を参照して説明する。
【００１８】
本実施案においては、可塑性のプラスチックに市販の反射トランスファーフィルムを接着させたものを材料として使用する。反射トランスファーフィルムとは、表面に微細なガラスビーズをコーティングし、裏面に熱活性型接着剤を塗布した再帰性反射フィルムであり、入射光はガラスビーズ表面で屈折し内で反射を行い、再び表面で屈折してガラスビーズから出射することを特徴とする。このような再帰性反射材では、あらゆる方向から入射した光に対しても常に入射した方向に光を返すため、自転車後方の車から照射された光は、９０パーセント以上の率で照射元の車に再帰する。これによりドライバーは確実に前方の自転車を確認することが可能となる。
【００１９】
つぎに、リフレクターの取付位置と長さについて説明する。図１に示すように、本実施形態においては、後輪の泥除け５に設置するリフレクター１は泥除け５の後端部５１を起点として泥除け５の頂部５２までとするが、泥除け５のフレームへの取付ボルトをリフレクターの固定具として利用する場合には、図２の先端凸部１１をシートステー８の位置まで伸ばしてもよい。自転車後部に位置する車両からのライトを反射できる最大の面積を確保するためである。後輪のリフレクターの長さは、２６インチの自転車で約４５ｃｍとなる。一方、前輪の泥除け６に設置するリフレクター２は同じく後端部６１を起点として、泥除けのフレームへの取付位置となっているフロントフォーク７までとする。これにより後輪及び前輪のリフレクター１、２は各泥除け全体の表面積の３分の一から２分の一をカバーする大きさとなる。
【００２０】
リフレクター１，２は横方向においては泥除けの全幅をカバーする。泥除けの幅にもよるが、幅は６０ｍｍから６５ｍｍとなる。また、前方先端部分に凸部１１を設けている。
【００２１】
泥除け５，６への着設に際しては、図２（Ｂ）に示すように、泥除け表面の弧面の形状に合わせて圧着させる。この際、泥除け上でのずれを防止するため、点線で示すように１箇所又は２箇所を両面テープ４で接着する。また、先端の凸部１１を金属バンド３で押接し、金属バンド３の両縁部３１を内側に折り曲げて泥除け５，６の裏側に圧着させる。
【００２２】
本考案の有する多くの特徴、及び優れた点を、考案の構造と機能の詳細をあげて上記実施形態に記載したが、本考案は、本考案の原理の範囲内で、本願の実用新案登録請求の範囲で使用されている言葉を広く一般的な意味にまで広げて、細かな点、特にリフレクターの長さ、幅、材質、泥除けへの着設方法を変更しての実施が可能である。特に長さ及び幅については、自転車の種類や大きさ、泥除けの形状等を考慮し、様々なものとすることが可能である。
【符号の説明】
【００２３】
１    リフレクター（後）
２    リフレクター（前）
１１  リフレクターの凸部
３    金属バンド
３１  縁部（金属バンド）
４    両面テープ
５    泥除け（後）
５１  泥除け（後）の後端部
５２  泥除け（後）の頂部
６    泥除け（前）
６１  泥除け（前）の後端部
７    フロントフォーク
８    シートステー
【図１】
0003188281.tif 000003
【図２】
0003188281.tif 000004
【手続補正書】
【提出日】平成25年11月13日(2013.11.13)
【手続補正１】
【補正対象書類名】実用新案登録請求の範囲
【補正対象項目名】全文
【補正方法】変更
【補正の内容】
【実用新案登録請求の範囲】
【請求項１】
前輪及び後輪の泥除けの表面に事故防止用リフレクターを着設したことを特徴とする自転車。
【請求項２】
前記リフレクターは、前記前輪及び後輪の泥除け各後端部を起点として前端部に向けて泥除け表面の全幅に着設され、長さは前記泥除け全体の弧長の少なくとも３分の１以上であることを特徴とする請求項１記載の自転車。
【請求項３】
前記リフレクターは、可塑性樹脂材又はウレタン材に反射布を貼付したものであることを特徴とする請求項１又は請求項２記載の自転車。
【請求項４】
前記リフレクターは、可塑性樹脂材又はウレタン材に反射物質をコーティングしたものであることを特徴とする請求項１又は請求項２記載の自転車。
【手続補正３】
【補正対象書類名】明細書
【補正対象項目名】０００１
【補正方法】変更
【補正の内容】
【０００１】
本考案は、泥除け表面に事故防止用リフレクターを着設した自転車に関する。